(57)【要約】      （修正有）【課題】金属壁面に吸着したそのマグネットを簡単に剥離の出来るマグネット外し具を提供する。【解決の手段】フック台座１の表面１ａにフック体２を、裏面１ｂには、金属壁面に吸着するマグネット３付きの金属ヨーク４を固着する。該マグネット３着脱接着可能な、スチレン系樹脂或いは、ウレタン系樹脂等の粘着ゲル材シートＢで包み込みフック台座１の裏面１ｂに固着する。２本の端子２ａは、フック台座１の上端部１ｃ側面に開口するそれぞれの孔１ｄに回動自在に差し込まれ、差し込まれたそれらの２本の端子２ａ間に爪５に固く連結する。該フック体２の吊部２ｂはフック台座１の下端部１ｅ近くに配置した、マグネット付きフックで、回動自在のこのフック体２を持ち上げることで、連動して回動する爪５が、粘着ゲル材シートＢを介して金属壁面Ａに吸着するマグネット３を金属壁面Ａから突き上げ、マグネット３をフック体２の回動で、剥離可能な構成にする。【選択図】図１
0003144524.tif 000002
【実用新案登録請求の範囲】
【請求項１】
フック台座１の表面１ａにフック体２を、そして、裏面１ｂには、金属壁面Ａに吸着するマグネット３付きの金属ヨーク４を固着してなる、マグネット付きフックにおいて、当該マグネット３をスチレン系樹脂或いは、ウレタン系樹脂等の粘着ゲル材シートＢで包み込みフック台座１の裏面１ｂに固着し、そして、折り曲げられたフック体２の２本の端子２ａは、フック台座１の上端部１ｃ側面に開口するそれぞれの孔１ｄに回動自在に差し込まれ、差し込まれたそれらの２本の端子２ａ間で爪５付き軸体５ａに固く連結されてなり、当該フック体２の吊部２ｂはフック台座１の下端部１ｅ近くに配置した、マグネット付きフックで、回動自在のこのフック体２を持ち上げることで、連動して回動する爪５が、粘着ゲル材シートＢを介して金属壁面Ａに吸着するマグネット３を金属壁面Ａから突き上げ、マグネット３をフック体２の回動で、剥離可能にした事を特徴とするマグネット付きフック。
【請求項２】
前記するマグネット３を包み込んだ粘着ゲル材シートＢを除去した、マグネット付きフックにするか或いは、該マグネット３に近接して、マグネット３の表面３ａと同一面に粘着ゲル材シートＢを巻き込み或いは、２重成形でなるシートベース６をフック台座１の裏面１ｂにマグネット３に並んで固着したことを特徴とする請求項１記載のマグネット付きフック。
【考案の詳細な説明】
【技術分野】
【０００１】この考案は、冷蔵庫の金属塗装面、机、キャビネット、棚、ホーロー流し台等の金属（鉄板）で成る壁面に磁気的吸着する、物品を掛ける為のマグネット付きのフックを壁面から取り外したり、移動したりする際に、強力に金属壁面に吸着したマグネットを、取り外すことの出来る装置を持った、マグネット付きフックの改良に関する。
【背景技術】
【０００２】  此の種の従来の技術として知られるマグネット付きフックは、例えば特開２００５−２１８４８７が開示され、発明の名称「磁性吊下具」が知られる。これらは、マグネットを取り付けたマグネット取付本体と、当該マグネット取付本体に、支軸を支点に回動自在に取り付けられると共に、吊下具を取り付けた吊下具取付本体と、前記支軸の上方に位置して、吸着時に壁面に近接するように吊下具取付本体に設けられたローラー状の壁当てとを備えている。これらの「磁性吊下具」は、吊下具を手前に持ち上げると、主軸を支点としたテコの原理により、所定のモーメント力を持ってローラー状の壁当てが回転しながら壁面を押し圧し、その結果、マグネット取付本体を壁面より引き離す力が作用するため、壁面に磁気吸着で保持された「磁性吊下具」を壁面より簡単に取り外すことができる構成作用からなる。【０００３】  そしてまた、この種のマグネットの吸着保持力は、横（壁面）滑り保持力が弱いことで、前記吊下具付本体の壁面当接側に例えば、粘着ゲル素材シート等を貼り付け、その粘着力で、吊下具に物品を掛けた時の過荷重で下方向（横滑り）でマグネットが滑り落ちるのを防ぐ為の、滑り止めとしての構成を付帯している。
【考案の開示】
【考案が解決しようとする課題】
【０００４】  しかしながら、上記する従来技術での磁性吊下具は、磁気的吸着面から取り外すのに、吊下具に設けた壁当ては壁面を傷つけない為に、ローラー状の壁当てが転がりながら壁面を押し圧する為、弱い操作力と少ない移動量でマグネットの剥離作用が働き、従って、物品の着脱使用時に上向けに掛かる不測な力が働き、思わず吊下具が上に持ちあがり壁当てが作動し、マグネットの移動や剥離などで、使用に支障を来す等の課題がある。【０００５】  この様に、これらの吊下具は支点に非常に近い距離に壁当てがあり、その支点から指で摘んで持ち上げる力点までの距離との相対比が小さい為、テコの原理により少ない操作移動で壁当ても大きく移動することになる為、誤動作を誘発し、更に、これらの相対比が小さい事で大きな操作力が要求される為マグネットの磁力を上げて、吸着力を強くすればするほど、物品を吊るす耐荷重を大きく出来るが、握力の弱い子供や高齢者に不向きである等の課題が残る。【０００６】  次ぎに、この種の金属壁面に磁気的吸着でなる磁性吊下具は、横滑りの保持力に弱く、物品を吊るした下向きの滑り耐荷重は磁気的吸着力よりかなり低下する事で、横滑り防止の保持力を増強するのに、マグネットに近いスペースに着脱で粘着の劣化のない粘着ゲル素材シート等を使って取り付けるが、本体とシートとの接着強度不足が課題となり、繰り返しマグネットの数回の取り剥がしで本体とシートがめくれたり，脱落する等で、双方の異質の材質の接着強度に問題が多く、ウレタン系等の粘着ゲル素材シートと合成樹脂材の接合において双方の接着剥がれが課題になる。
【課題を解決する為の手段】
【０００７】  この考案はかかる課題を解決する為に、請求項１での本考案のは、図１での一部断面での斜視図と図２での断面側面図で述べるように、フック台座１の表面１ａにフック体２を、そして、裏面１ｂには、金属壁面Ａに吸着するマグネット３付きの金属ヨーク４を固着してなる、マグネット付きフックにおいて、当該マグネット３を着脱接着可能な、スチレン系或いは、ウレタン系等の粘着ゲル材シートＢで包み込みフック台座１の裏面１ｂに固着し、そして、所定の形状に折り曲げられたフック体２の２本の端子２ａは、フック台座１の上端部１ｃ側面に開口するそれぞれの孔１ｄに回動自在に差し込まれ、差し込まれたそれらの２本の端子２ａ間に爪５に固く連結されてなり、当該フック体２の吊部２ｂはフック台座１の下端部１ｅ近くに配置した、マグネット付きフックで、回動自在のこのフック体２を持ち上げることで、連動して回動する爪５が、粘着ゲル材シートＢを介して金属壁面Ａに吸着するマグネット３を金属壁面Ａから突き上げ、マグネット３をフック体２の回動で、剥離可能にした構成とする。
【０００８】  そしてまた、前記するマグネット３を包み込んだ粘着ゲル材シートＢを除外した前記のマグネット付きフックにするか或いは、該マグネット３に近接して、マグネット３の表面３ａと同位置面に粘着ゲル材シートＢ等を巻き込み或いは、２重成形でなるシートベース６をフック台座１の裏面１ｂに固着した構成とする。
【考案の効果】
【０００９】  本考案は上述の通り構成作用するので、次ぎの優れた効果を奏する。即ち、請求項１での効果は、壁面に磁気的吸着するフック台座に設けたマグネットを取り剥がすのに、フック体を大きく持ち上げないと爪が動かない為、物品の着脱使用時に不測に、誤動作の無い、そしてまた、強靭なマグネットの吸着力を弱い操作力で大きく動かして、楽に取り扱いが出来、更にまた、マグネットの着磁面には、本実施例では着脱自在で粘着性の落ちない優れた薄い粘着ゲル材シートを巻き付けて解けない形態でフック台座に一体化する事で、マグネットはシートを介して壁面に吸着し、かなり重い物品を吊るしても横滑のない、マグネット付きフックを提供出来る。
【００１０】  次ぎに、請求項２での効果は前記するマグネット着磁面に接合した粘着ゲル材シートを除外し、個別に粘着ゲル材シートを巻装したシートベースをフック台座に一体化する事で、マグネットの吸着力とシートの接着力との双方の保持力の持つマグネット付きフックを提供出来る。
【考案を実施するための再利用の形態】
【００１１】  以下図示の実施例に基づいて、本考案をさらに詳細に説明する。即ち、図１は本考案での第１実施例に基づく一部断面での斜視図で、図２は、同じく第１実施例での側面断面図を述べるもので、合成樹脂製で箱状の細長状のフック台座１の表面１ａフック体２が設けられ、裏面１ｂの落とし込み部には、其れに収容されてマグネットが固着されるが、このマグネットは表面をフック台座１の開口する裏面１ｂに露出し、鉄板加工でなる金属ヨーク４に囲まれ磁気的吸着で結合して、其れを更に、自己粘着性でなるスチレン系樹脂或いは、ウレタン系樹脂を主体にした粘着ゲル材シートＢで包み込みフック台座１の裏面１ｂの箱に収容され固着され一体化される。
【００１２】  そして前記するマグネットを一体化してなるフック台座１の表面１ａに配置する金属丸棒材を所定形状に折り曲げ加工された物品を引っ掛けるフック体２は、その２本の端子２ａは、フック台座１の上端部１ｃでその両側面に開口する孔１ｄにほど良い固さで回動自在に差し込まれる構成とする。
【００１３】  前記するフック体２の形状は２本の支点となる端子２ａと物品を引っ掛ける端部折り曲げ部までの長さを出来る範囲での長さにするのが望ましく、本実施例ではフック台座１の上端部１ｃにフック体２の支点となる端子２ａを設け、下端部１ｅに吊部２ｂを配置するフック体２の長さにし、フック台座１の側面に開口する２個のそれぞれの孔１ｄに差し込まれ程よい固さで、回動する両端子２ａの間に爪５からなる軸体５ａを設け、それらが一体化され端子２ａの回動に同期して連動する構成とするが、この爪５の先端と支点となる端子２ａとの間隔を出来るだけ短くする事で、この爪５先の荷重点と支点から吊部２ｂまでの相対比を大きくする事で、テコの原理から、フック体２の回動を大きく、マグネット３を剥離に飛び出す爪５の回動が小さくする事で、強力なマグネットの磁気的吸着力を比較的弱い力で動きを多くする構成としている。
【００１４】  次ぎに、図３と図４は本考案での第２実施例に基づく一部断面での全面斜視図で、図３は前記するマグネット３を包み込んだ粘着ゲル材シートＢを取り除き、マグネット３に近接して、成形品でブロック形のシートベース６に巻き込んだ粘着ゲル材シートＢをマグネットの表面と同じ面に並列してフック台座１の箱形の裏面１ｂに固着して一体化する事で、マグネットの磁気的吸着保持力の横滑りを防止する為に、金属壁面とフック台座との接合をマグネットの磁気的吸着と自己接着性の粘着ゲル材を使っての両用のによって、マグネットの横滑りの保持不足を接着で補強し、強力なマグネット付きフックを具現化している。また、第１実施例のマグネット３に巻き込んだ粘着ゲル材シートＢに近接して個別でなる粘着ゲル材シートＢを巻き込んだシートベース６の双方を同一面に並べた一体化でも良く、何れの選択でも効果が得られる。
【図面の簡単な説明】
【００１５】
【図１】  本考案に係わる第１実施例での一部断面での斜視図である。
【図２】  本考案に係わる第１実施例での断面側面図である。
【図３】  本考案に係わる第２実施例での一部断面での斜視図である。
【図４】  本考案に係わる第２実施例での他の例を示す斜視図である。
【符合の説明】
【００１６】  Ａ        金属壁面
Ｂ        粘着ゲル材シート
１        フック台座
１ａ      表面
１ｂ      裏面
１ｃ      上端部
１ｄ      孔
１ｅ      下端部
２        フック体
２ａ      端子
２ｂ      吊り部
３        マグネット
３ａ      表面
４        金属ヨーク
５        爪
５ａ      軸体
６        シートベース
【図１】
0003144524.tif 000003
【図２】
0003144524.tif 000004
【図３】
0003144524.tif 000005
【図４】
0003144524.tif 000006